(57)【要約】理容鋏に指環の大きさ、形状などを所望の大きさ、形状に屈曲させることにより、理容鋏の使い手の指の太さ・長さ、その他、各使い手の手や指に合わせることが容易な理容鋏を提供することにある。またその際には大きさを変えることのできる範囲に制約が少ない理容鋏を提供することにある。またこのような工夫によっても指の指環への感触に不具合の生じることのない理容鋏を提供する。  その為に、先端側Ａに刃部３を有し基端側Ｂに指環４を有する２本の刃体２，２を枢着させた理容鋏１であって、指環４に切れ目６が設けられると共に、指環４はこの指環４を屈曲させて拡げる又は狭める塑性変形が可能な軟らかさと形状とを有し、切れ目６は、切れ目６の両端となる指環端部７，７同士がこの指環端部７の側面同士のすれ違い状態となる配置に形成されている。
2004091869.tif 000002
【特許請求の範囲】
【請求項１】
先端側に刃部を有し基端側に指環を有する２本の刃体を枢着させた理容鋏であって、
前記指環に切れ目が設けられると共に、前記指環はこの指環を屈曲させて拡げる又は狭める塑性変形が可能な軟らかさと形状とを有し、
前記切れ目は、前記切れ目の両端となる指環端部同士がこの指環端部の側面同士のすれ違い状態となる配置に形成されたことを特徴とする理容鋏。
【請求項２】
静刃側の指環端部を延長させて指掛けに形成させたことを特徴とする請求項１記載の理容鋏。
【請求項３】
２つの指環の各指環端部を延長させて各々を指掛けに形成させたことを特徴とする請求項１記載の理容鋏。
【請求項４】
切れ目が指環の基端寄りに設けられている場合であって、理容鋏を持つ際に指環の指を入れる側を表側とした場合に、
一の指環における指環端部同士の配置は、指環同士の接点側となる指環端部が他方の指環端部よりも前記表側となる配置であることを特徴とする請求項１〜３のいずれかに記載の理容鋏。
【発明の詳細な説明】
【技術分野】  この発明は、理容鋏の改良に関し、詳しくは理容鋏の指環の大きさなどを所望の大きさに変えることにより、理容鋏の利用者の指の太さに適した使いやすい指環にすることのできる理容鋏に関する。
【背景技術】  理容鋏１０１は、図１０に示す様に２本の刃体１０４，１０４を枢着させたものであり、この刃体１０４は、その先端側に刃部１０３を有し、また基端側に指環１０４を有している。つまり刃体２の先端側Ａから基端側Ｂに掛けて、刃体１０３、柄部１０５、指環１０４がこの順で一体的に形成されているのである。
理容鋏１０１の２つの指環１０４，１０４は、いずれも指を１本だけを入れるものであるが、事務用鋏などに比べてこの指環が小さく作ってあり、指環１０４に指を通したときには、指環と指との間に遊びが余りできないようになっている。これは、理容鋏は髪を切る時には小刻みに開閉操作をするので、遊びがあると理容鋏がこの小刻みな早い操作に追従できないなどの不具合があるからであり、よってこの様な指の太さに近い比較的小さい指環になっているのである。
しかし理美容師であっても、その指の太さに個人差があり、同じ規格の理容鋏を用いても、指環が小さすぎる人や、逆に大きすぎる人など様々である。この様に指の太さは理容鋏の使い手ごとに異なるのであり、よって指環の大きさも各自にあった別々の大きさや形状であることが望ましい。
そのため、本願出願人は、指環に切断部を有して、指環の大きさを変えることのできる鋏に関する特許出願（特願２００１−２３３２６２）をしている。この出願では、図１１に示す様に、指環２０４が切断部２０６により切断されていて、これにより指環の大きさを変えることができる様になっている。ただ切断部２０６に隙間があいた状態となるために、指を通した時にこの隙間に指が当たり、或いは指が切断部２０６に引っ掛かるなどして指の感触や操作性の面で不具合である。
そのためこの出願の中ではこの様な切断部の隙間による指の感触の悪さや引っ掛かりを無くすための工夫も前記特許出願で提案されており、例えば図１２に示す様に、切断部の端部２０７，２０７同士はその向かい合う端部を凹凸形状に形成し、双方の端部２０７，２０７に形成された凹凸が互いに噛み合う様に形成しておくことにより、切断部２０６による隙間を無くす、或いは少なくする様な工夫が成されている。また図１３に示す様に切断部２０６の隙間に細いゴム管２１０を架け渡す様に嵌めて隙間を埋める工夫も提案されており、これによれば指環を拡げたり狭くしたりする場合でも、その隙間の広狭変化にゴム管が追従できる様になっている。
ただこの様な工夫を指環に施すのは手間であり、また切断部の隙間による指環の感触の悪さが残る。
また指輪を狭める場合は、切断部の端部同士がぶつかると、それ以上は狭めることはできない。また拡げる場合であっても隙間が広くなりすぎると、隙間に対する指が引っ掛かりを無くす為の図１２〜１３に示した様な対応も、その対応可能な範囲を超えたりした効果が薄れたりする場合が出てくる。
また指環の向きは一般に、２つの指環１０４，１０４が図１４に示す様に平行になっている（本願では、図１５に示す様な指環１０４の面Ｓａに対する垂直線Ｌ方向を、「指環の向き」という。）。ただ２つの指環の向きが図１４の様に同じ方向であると、図１６に示す様に、指環１０４の向きＬが、指の向きＭと異なった向きとなってしまい、その為に指が通し難く、また開閉操作も行い難くなっている。
以上の問題を鑑み、本願発明の目的とするところは、理容鋏に指環の大きさ、形状などを所望の大きさ、形状に屈曲させることにより、理容鋏の使い手の指の太さ・長さ、その他、各使い手の手や指に合わせることが容易な理容鋏を提供することにある。またその際には大きさを変えることのできる範囲に制約が少ない理容鋏を提供することにある。またこのような工夫によっても、指の指環への感触に不具合の生じることのない理容鋏を提供することにある。
【発明の開示】
以上の課題を解決するため本願では、理容鋏の指環に切れ目が設けた。またこの指環は指環を屈曲させて拡げる又は狭める塑性変形が可能な軟らかさと形状とを有している。そして切れ目は、この切れ目の両端となる指環端部同士がこの指環端部の側面同士のすれ違い状態となる配置に形成されている。
指環の形状は屈曲させ易くするために、指環の断面形状や肉厚などを工夫すればよい。またこの屈曲とは、工具などを使わずに人手で直接屈曲できるものであっても、何らかの工具を用いれば屈曲できるというものであってもよい。
この様に、指環を拡げたり狭めたりすることができるので、理容鋏の使い手である各理美容師は、各自の指の太さに合わせることができ、個人個人の指にフィットした指環の理容鋏にすることができる。
また指環端部同士は側面同士がすれ違い状態となる配置であるために、指環を狭めた場合に指環端部同士がぶつかる事がなく、よってぶつかってそれ以上に狭められないと云う制約がない。
また切れ目は指環端部の側面同士がすれ違い状態となっているので、切れ目の隙間Ｅ（図５）が狭く、しかも指環端部同士に重なり合いＦが生ずるので、この隙間Ｅに指が落ち込んだり、引っ掛かる等の不具合もない。
また指環端部の側面同士がすれ違い状態である為に、指環内面は、切れ目の部分には図１の符号Ｐに示す様に段差が生じないので、指の指環に対する感触が切れ目のない指環に近いものとなり、良好な感触が得られる。
更には、指環を拡げた場合にも、指環端部同士の重なり合いＦが残っている間は、上述した様な、隙間に指が落ち込んだり引っ掛かったりしない効果や、段差の生じない効果がある維持される。
また静刃側の指環端部を延長させて、これを指掛けに形成させることができる。これは、指環端部同士がすれ違い状態に形成されているために、一方の指環端部が、他方の指環端部に邪魔されることが無く延長させることができるからであり、この延長部を、指掛けとして必要な長さ・形状にすることができるからである。
さらに、２つの指環の各指環端部を延長させて各々を指掛けに形成することもできる。これによれば、両方の指環に指掛けが設けられるので、いわゆるメガネ鋏になり、つまり、一つの理容鋏で右利き用と左利き用とに用いることができる。
また切れ目が指環の基端寄りに設けられている場合であって、理容鋏を持つ際に指環の指を入れる側を表側とした場合に、一の指環における指環端部同士の配置は、指環同士の接点側となる指環端部が他方の指環端部よりも前記表側となる配置にすることができる。
これによれば、実施例の図６の一点鎖線に示されている様に、２つの指環が互いに傾斜した配置となり、指環の向きが、指環を入れる指の向きと近くなるので（図８参照）、指を入れ易く、理容鋏の開閉操作もし易くなる。
【図面の簡単な説明】  図１は、実施例１に示す理容鋏の図である。
図２は、図１の理容鋏を基端側から見た図である。
図３は、図１の理容鋏の部分斜視図である。
図４も、図１の理容鋏の部分斜視図である。
図５は、図２と同じ図であり、端部同士の隙間Ｅと、端部同士の重なりＦを説明している。
図６も、図２と同じ図であるが、ナットを省略してあり、指環が傾斜している様子を示している。
図７は、２つの指環が互いに傾いて、指環の向きが平行でない状態を説明する図である。
図８は、図７に示した様な指環であると、指環の向きＬと指の向きＭが比較的近い向きになることを説明する図である。
図９は、実施例２に示す理容鋏の図である。
図１０は、一般的な理容鋏を説明する図である。
図１１は、切断部を有する指環の図である。
図１２も、切断部を有する指環の図である。
図１３は、切断部をゴム管で繋いだ図である。
図１４は、指環の向きが平行となっている図である。
図１５は、指環の向きＬを説明する図である。
図１６は、指環の向きが平行となっている場合に、指環の向きＬと指の向きＭが比較的離れた向きになることを説明する図である。
【発明を実施するための最良の形態】  次ぎに、本願発明の実施例である理容鋏の説明をする。
実施例１として示す図１の理容鋏１は、２本の刃体２，２を枢着させたものであり、この刃体２は、その先端側Ａに刃部３を有し、また基端側Ｂに指環４を有し、つまり刃体２は、その先端側Ａから基端側Ｂに掛けて、刃部３、柄部５、指環４がこの順で一体的に形成されているのである。
２つの指環４，４には、図１〜４に示す様に、切れ目６が基端寄りに１つ設けられている。又この切れ目６は、図５に示す様に、切れ目６の両端となる指環端部７，７の側面８，８同士が、僅かな隙間Ｅを空けたすれ違い状態となる配置に形成されている。そして指環端部７，７同士が重なり合いＦを有している。又このすれ違い状態であるが、理容鋏１を持つ際の指環４の指を入れる側を表側Ｘ（図５）とした場合に、２つの指環４，４同士の接点側となる指環端部７ａ，７ａが、他方の指環端部７ｂ，７ｂよりも表側となる配置である。
また指環４は、この指環４を屈曲させて拡げる又は狭める塑性変形が可能な軟らかさを有する材質を用いてあり、また指環の肉厚Ｄ（図１）を多少薄くして、塑性変形が可能な形状にしてある。これは、柔らかな材質を指環に用いても、指環の肉厚Ｄが厚くすると屈曲させ難くなるからである。また指環の大きさを工具を使って変えるか、或いは人手で直接変えるかにより、指環の肉厚や形状が指環の大きを適宜決めればよい。この実施例の理容鋏では、指環の肉厚を薄くし、その分、指環の内面の幅Ｗ（図４）が幅広に形成されている。
また静刃側の指環は、動刃寄りの指環端部を、図１、図３〜４に示す様に延長させて指掛け９に形成させてある。
また指環４は、指環端部７，７が同士の内面に段差ができない様に比較的面一にしてあり、図１のＰに示す様に、切れ目６の箇所も繋がっている様な状態に形成されている。
以上の構成による理容鋏１の使用方法は次の通りである。
この理容鋏１は、使い始めに、各自、使い手の指に太さに合わせて指環４を拡げる、或いは狭めることができる。これを人手のみで行うなら、両手の指を１つの指環に入れて両手で拡げるなり、両手の指先で指環４を潰す様な仕草で狭めるなりすることができ、使い手が自分の指にあった太さに指環４の大きさを変更すればよい。指環４が、上記の様に工具を使わずに拡げたりするのが困難な場合には、何らかの工具を用いて自分にあった大きさの指環に変えればよい。
また指環４を狭める時には、指環端部７，７同士がぶつかることがないので、理論的には幾らでも狭くすることができる。また拡げる場合にも、指環端７，７同士がすれ違う状態になっているので、これを拡げてもよほど拡げないと、図１１に示した様な指が嵌る程度の広い隙間になることは少ない。
また指環端部７は、その側面８，８同士がすれ違い状態となる配置と成っているために、切れ目６の箇所はその内面同士に段差ができない様な比較的面一な状態（図１のＰ参照）となっており、これにより、指環４をよほど大きく拡げない限り、図１のＰに示す様な、切れ目６の箇所も繋がっている様な状態に形成されている。その為に、指環４は、これに指を入れた時にも、切れ目６を感じさせることが少なく、指の感触としては、切れ目６のない指環に近い感触が得られる。
また指環端部７，７同士のすれ違い状態は、２つの指環４，４同士の接点側となる指環端部７ａ，７ａが、他方の指環端部７ｂ，７ｂよりも表側となる配置であるが、この様な配置であると、２つの指環は、図６の一点鎖線に示す様に傾いた状態に類似する。これは指環の傾きが概ね図７に示す様な傾きとなった状態に類似するが、指環がこの様に傾くと、図８に示す様に、指環の向きＬが、指環に通した時の指の向きＭと近くなり、その為に指が通し易く、また理容鋏の開平操作も楽になる。この点を指環が傾いていない一般的な理容鋏と比べると、指環の傾いていない理容鋏は、図１６に示した様に、指環の向きＬが、指の向きＭとが離れてしまっていて、指が通し難く、また開平操作も行い難くなっている。
この様に、本実施例の理容鋏は、切れ目によりできる指環端部のすれ違い状態を利用して、指環の向きを図６に示した様に傾いた状態にしてあるので、指が入れやすく、また開閉操作の時にも指が楽である。
図９に示す実施例２の理容鋏は、２つの指環４，４の各指環端部を延長させて、延長させた指環端部の各々を指掛け９，９に形成させた理容鋏である。この理容鋏１は、指掛け９が２つ形成されている点を除いては実施例１の理容鋏と同じ構成になっている。
理容鋏の業界では、一般に「メガネ」といえば「メガネ鋏」を意味するが、これは例えば、２つの刃体が、その柄部と指環とをほぼ同じ形状に形成した理容鋏をいい、図９の中央線Ｃを境にした線対称に概ねなっているものを云う。同じ鋏を、右利きと左利きとで使い分けると、動刃と静刃が入れ替わることとなり、当然、指掛けを付けるべき指環が別の指環になる。しかし図９の様な理容鋏であれば、双方の指環に指掛けが形成されているので、１つの理容鋏で、右利き、左利きを兼用することができる。
【図１】
2004091869.tif 000003
【図２】
2004091869.tif 000004
【図３】
2004091869.tif 000005
【図４】
2004091869.tif 000006
【図５】
2004091869.tif 000007
【図６】
2004091869.tif 000008
【図７】
2004091869.tif 000009
【図８】
2004091869.tif 000010
【図９】
2004091869.tif 000011
【図１０】
2004091869.tif 000012
【図１１】
2004091869.tif 000013
【図１２】
2004091869.tif 000014
【図１３】
2004091869.tif 000015
【図１４】
2004091869.tif 000016
【図１５】
2004091869.tif 000017
【図１６】
2004091869.tif 000018
【国際調査報告】
2004091869.tif 000019
2004091869.tif 000020